(57)【要約】【課題】分散補償モジュールまたはその一部として用いられ得るものであって高品質の信号光伝送が可能な光導波路モジュールを提供する。【解決手段】光入力端１０１に入力した信号光の基底モード光は、光アイソレータ１１１を通過し、第１モード変換器１２１により高次モード光に変換される。その高次モード光は、第１光ファイバ１３１により導波され、光アイソレータ１１２を通過し、第２光ファイバ１３２により更に導波され、その間に分散補償される。第２光ファイバ１３２より出力された高次モード光は、第２モード変換器１２２により基底モード光に変換され、その基底モード光は、光アイソレータ１１３を通過して、光出力端１０２より出力される。モード変換されて若しくはモード変換されることなく反射されて逆方向に進む光が発生したとしても、その逆方向に進む光は、光アイソレータ１１１〜１１３により遮断される。【選択図】  図１
2004159012.tif 000002
【特許請求の範囲】
【請求項１】
基底モード光および高次モード光を導波させ得る第１光導波路および第２光導波路と、
前記第１光導波路の出射端と前記第２光導波路の入射端との間に設けられ、前記第１光導波路を導波して前記出射端より出射されて順方向に進む高次モード光を入力した際、その高次モード光を前記入射端より前記第２光導波路へ入射する光アイソレータと
を備えることを特徴とする光導波路モジュール。
【請求項２】
前記第１光導波路の出射端と前記光アイソレータとの間、または、前記第２光導波路の入射端と前記光アイソレータとの間に設けられ、順方向または逆方向に進む高次モード光のパワー変化をモニタするモニタ手段を備えることを特徴とする請求項１記載の光導波路モジュール。
【請求項３】
前記モニタ手段が順方向または逆方向に進む基底モード光のパワー変化をモニタすることを特徴とする請求項２記載の光導波路モジュール。
【請求項４】
光伝送路により信号光を伝送する光伝送システムであって、該光伝送路上に設けられた請求項１記載の光導波路モジュールを備えることを特徴とする光伝送システム。
【請求項５】
光伝送路により信号光を伝送する光伝送システムであって、
該光伝送路上に設けられた請求項２記載の光導波路モジュールと、
該光導波路モジュールの前記モニタ手段によるモニタ結果に基づいて前記光導波路モジュールの動作を監視する監視手段と
を備えることを特徴とする光伝送システム。
【発明の詳細な説明】
【０００１】
【発明の属する技術分野】
本発明は、光を導波させる光導波路を含む光導波路モジュール、および、このような光導波路モジュールを光伝送路上に備える光伝送システムに関するものである。
【０００２】
【従来の技術】
光伝送システムは、光ファイバからなる光伝送路により信号光を伝送させるものであって、大容量の情報を高速に送受信することができる。一般に、光伝送路として用いられる光ファイバは信号光波長においてシングルモード条件を満たしており、その光ファイバにより信号光は基底モードで伝送される。また、一般に、信号光波長において光伝送路が波長分散を有することから、この波長分散を補償するために分散補償モジュールが設けられ、これにより、高ビットレート化が図れている。分散補償モジュールとしては特許文献１に記載されたものが知られている。
【０００３】
この文献に記載された従来の分散補償モジュールは、モード変換器と分散補償器とを備えており、信号光の基底モードをモード変換器により高次モードに変換し、その高次モード光について分散補償器により分散補償するものである。基底モード光について分散補償する場合と比較して、高次モード光について分散補償することで、分散補償器は小型化が可能となる。
【０００４】
モード変換器としては、例えば、細い金属線を光ファイバの周囲に螺旋状に巻き付けた構成のもの、光ファイバに対して長手方向に沿って周期的なマイクロベンドを与えた構成のもの、および、光ファイバに対して周期的な摂動（ホログラフィックな書き込みに因る周期的な応力）を与えた構成のもの、が知られている。このようなモード変換器では、該光ファイバの一端より或るモード（例えばＬＰ０１モード）の光を入射させると、その光ファイバを伝搬する間に光は他のモード（例えばＬＰ１１モードやＬＰ０２モード）に変換される。
【０００５】
【特許文献１】
米国特許第５１８５８２７号明細書
【０００６】
【発明が解決しようとする課題】
ところで、モード変換は、通常のシングルモード光ファイバの接合時にも軸ずれ等に因るモード不整合によって惹起される現象であり、環境温度の変化や振動・衝撃などの影響を受け易い。ＬＰ０１モード光からＬＰ１１モード光へのモード変換（または、その逆方向のモード変換）の効率が低下した場合、所期どおりにはモード変換されなかった光は、モード変換されることなく順方向に出力されるか、側方に放出されるか、或いは、モード変換されて若しくはモード変換されることなく反射されて逆方向に進むか、の何れかとなる。モード変換器を有する分散補償モジュールが光伝送システムで用いられる場合を考えると、信号光伝送品質の観点からは、所期どおりにはモード変換されなかった光は、側方に放出されるのが最も好ましい。しかし、所期どおりにはモード変換されなかった光が順方向または逆方向に進むと、その光がクロストークの要因となり、信号光伝送品質が劣化する。
【０００７】
本発明は、上記問題点を解消する為になされたものであり、上記のような分散補償モジュールまたはその一部として用いられ得るものであって高品質の信号光伝送が可能な光導波路モジュール、および、このような光導波路モジュールを光伝送路上に備える光伝送システムを提供することを目的とする。
【０００８】
【課題を解決するための手段】
本発明に係る光導波路モジュールは、（１）  基底モード光および高次モード光を導波させ得る第１光導波路および第２光導波路と、（２）  第１光導波路の出射端と第２光導波路の入射端との間に設けられ、第１光導波路を導波して出射端より出射されて順方向に進む高次モード光を入力した際、その高次モード光を入射端より第２光導波路へ入射する光アイソレータとを備えることを特徴とする。本発明によれば、第１光導波路の出射端と第２光導波路の入射端との間に光アイソレータが設けられていることにより、第１光導波路の出射端より出射されて順方向に進む高次モード光は、第２光導波路の入射端より第２光導波路へ入射するものの、第２光導波路から第１光導波路へ逆方向に進む光は、光アイソレータにより遮断される。したがって、例えば、モード変換器を含む分散補償モジュールとして本発明に係る光導波路モジュールが用いられる場合に、モード変換されて若しくはモード変換されることなく反射されて逆方向に進む光が発生したとしても、その逆方向に進む光は光アイソレータにより遮断されるので、高品質の信号光伝送が可能となる。
【０００９】
本発明に係る光導波路モジュールは、第１光導波路の出射端と光アイソレータとの間、または、第２光導波路の入射端と光アイソレータとの間に設けられ、順方向または逆方向に進む高次モード光のパワー変化をモニタするモニタ手段を備えるのが好適である。また、モニタ手段が順方向または逆方向に進む基底モード光のパワー変化をモニタするのが好適である。この場合には、第１光導波路または第２光導波路に入出力する高次モード光または基底モード光のパワー変化がモニタ手段によりモニタされる。このモニタ結果に基づいて、光導波路モジュールの動作状態を監視することが可能となる。
【００１０】
本発明に係る光伝送システムは、光伝送路により信号光を伝送する光伝送システムであって、該光伝送路上に設けられた上記の本発明に係る光導波路モジュールを備えることを特徴とする。この光伝送システムは、上記の本発明に係る光導波路モジュールを備えるものであることから、高品質の信号光伝送が可能となる。
【００１１】
本発明に係る光伝送システムは、光伝送路により信号光を伝送する光伝送システムであって、該光伝送路上に設けられた上記のモニタ手段を有する本発明に係る光導波路モジュールと、該光導波路モジュールのモニタ手段によるモニタ結果に基づいて光導波路モジュールの動作を監視する監視手段とを備えることを特徴とする。この光伝送システムは、上記の本発明に係る光導波路モジュールを備えるものであることから、高品質の信号光伝送が可能となる。また、この光伝送システムでは、監視手段により、光導波路モジュールのモニタ手段によるモニタ結果に基づいて、光導波路モジュールの動作が監視される。
【００１２】
【発明の実施の形態】
以下、添付図面を参照して本発明の実施の形態を詳細に説明する。なお、図面の説明において同一の要素には同一の符号を付し、重複する説明を省略する。
【００１３】
（第１実施形態）
先ず、本発明に係る光導波路モジュールの第１実施形態について説明する。図１は、第１実施形態に係る光導波路モジュール１００の構成図である。この図に示される光導波路モジュール１００は、光入力端１０１から光出力端１０２へ向かう順方向に沿って順に、光アイソレータ１１１、第１モード変換器１２１、第１光ファイバ１３１、光アイソレータ１１２、第２光ファイバ１３２、第２モード変換器１２２および光アイソレータ１１３が直列に光学的に接続されて構成されている。この光導波路モジュール１００は、光入力端１０１に入力した信号光の波長分散を補償して該信号光を光出力端１０２より出力する分散補償モジュールとして作用する。
【００１４】
第１モード変換器１２１および第２モード変換器１２２それぞれは、例えば、細い金属線を光ファイバの周囲に螺旋状に巻き付けた構成のもの、光ファイバに対して長手方向に沿って周期的なマイクロベンドを与えた構成のもの、および、光ファイバに対して周期的な摂動（ホログラフィックな書き込みに因る周期的な応力）を与えた構成のもの、等であり、該光ファイバの一端より或るモードの光を入力すると、その光を他のモードに変換して出力する。前段の第１モード変換器１２１は、基底（ＬＰ０１）モード光を入力し、このＬＰ０１モードを高次（ＬＰ１１）モードに変換して、このＬＰ１１モード光を出力する。後段の第２モード変換器１２２は、ＬＰ１１モード光を入力し、このＬＰ１１モードをＬＰ０１モードに変換して、このＬＰ０１モード光を出力する。
【００１５】
第１光ファイバ１３１および第２光ファイバ１３２それぞれは、基底（ＬＰ０１）モード光だけでなく高次（ＬＰ１１）モード光をも導波させ得るものであり、信号光波長において負分散を有する分散補償光ファイバがコイル状に巻かれてモジュール化されてものである。第１光ファイバ１３１および第２光ファイバ１３２それぞれは、第１モード変換器１２１より出力された高次モード光について分散補償する。
【００１６】
光アイソレータ１１１は、光入力端１０１と前段の第１モード変換器１２１との間に設けられており、光入力端１０１から第１モード変換器１２１へ向かう順方向には光を通過させるが、逆方向には光を通過させない。光アイソレータ１１３は、後段の第２モード変換器１２２と光出力端１０２との間に設けられており、第２モード変換器１２２から光出力端１０２へ向かう順方向には光を通過させるが、逆方向には光を通過させない。光アイソレータ１１２は、第１光ファイバ１３１の出射端と第２光ファイバ１３２の入射端との間に設けられており、第１光ファイバ１３１から第２光ファイバ１３２へ向かう順方向には光を通過させるが、逆方向には光を通過させない。すなわち、光アイソレータ１１２は、第１光ファイバ１３１によりモード変換されて出射端より出射された高次モード光を入力して、その高次モード光を入射端より第２光ファイバ１３２へ入射させ、これとは逆方向に進む光を通過させない。
【００１７】
光アイソレータ１１１，１１３それぞれが通過させるべき信号光は基底モード光であるのに対して、光アイソレータ１１２が通過させるべき信号光は高次モード光である。高次モード光を順方向のみ通過させる光アイソレータ１１２は、ファラデー効果を有する結晶を含む点では、光アイソレータ１１１，１１３と同様である。ただし、光アイソレータ１１２の結晶の伝搬方向の厚みは、高次モード光の伝搬定数に応じて適切に設定されることが必要である。また、光アイソレータ１１２の結晶を高次モード光が平行ビームとして伝搬する為には、第１光ファイバ１３１と光アイソレータ１１２との間にコリメートレンズを設け、光アイソレータ１１２と第２光ファイバ１３２との間に集光レンズを設けて、これらコリメートレンズおよび集光レンズそれぞれを高次モードに適合したものとすることが必要である。
【００１８】
また、コリメートレンズおよび集光レンズそれぞれの焦点距離が基底モード光と高次モード光とで相違することを利用して、基底モード光については出来る限り結合させない光学系としておくのが好適である。或いは、基底モード光および高次モード光それぞれのフィールドパターンが相違することを利用して、基底モード光を遮断し高次モード光を透過させるマスク機能をコリメートレンズまたは集光レンズに付加するのが好適であり、或いは、基底モード光を遮断し高次モード光を透過させるマスクをコリメートレンズと集光レンズとの間に設けるのが好適である。このようにすることにより、第１モード変換器１２１においてモード変換されなかった残余の基底モード光が光出力端１０２より出力されるのを抑制することができ、また、第２モード変換器１２２で発生して逆方向に進む基底モード光が光入力端１０１より出力されるのをも抑制することができる。
【００１９】
なお、光導波路モジュール１００の性能が光入力端１０１から光出力端１０２まで均質で、第１モード変換器１２１および第２モード変換器１２２それぞれの性能が互いに略同等であれば、光アイソレータ１１２の挿入位置は光導波路モジュール１００の中央であるのが好適である。このようにすることにより、多重反射を効果的に防止することができる。
【００２０】
この光導波路モジュール１００は、以下のように動作する。信号光の基底モード光が光入力端１０１に入力すると、その基底モード光は、光アイソレータ１１１を通過し、第１モード変換器１２１により高次モード光に変換される。第１モード変換器１２１より出力された高次モード光は、第１光ファイバ１３１により導波され、光アイソレータ１１２を通過し、第２光ファイバ１３２により更に導波される。高次モード光が第１光ファイバ１３１および第２光ファイバ１３２を導波する間に、その高次モード光は分散補償される。第２光ファイバ１３２より出力された高次モード光は、第２モード変換器１２２により基底モード光に変換され、そして、第２モード変換器１２２より出力された基底モード光は、光アイソレータ１１３を通過して、光出力端１０２より出力される。
【００２１】
このような光導波路モジュール１００において、モード変換されて若しくはモード変換されることなく反射されて逆方向に進む光が発生したとしても、その逆方向に進む光は、光アイソレータ１１１〜１１３により遮断される。また、第１モード変換器１２１においてモード変換されることなく順方向に進む基底モード光は、上述したコリメートレンズ、集光レンズまたはマスクにより遮断される。したがって、この光導波路モジュール１００は、高品質の信号光伝送が可能である。
【００２２】
（第２実施形態）
次に、本発明に係る光導波路モジュールの第２実施形態について説明する。図２は、第２実施形態に係る光導波路モジュール１００Ａの構成図である。この図に示される光導波路モジュール１００Ａは、光入力端１０１から光出力端１０２へ向かう順方向に沿って順に、光アイソレータ１１１、光カプラ１４１、第１モード変換器１２１、第１光ファイバ１３１、光カプラ１４２、光アイソレータ１１２、光カプラ１４３、第２光ファイバ１３２、第２モード変換器１２２、光カプラ１４４および光アイソレータ１１３が直列に光学的に接続されている。また、光導波路モジュール１００Ａは、光カプラ１４１に接続された受光素子１５１、光カプラ１４２に接続された受光素子１５２、光カプラ１４３に接続された受光素子１５３および受光素子１５５、ならびに、光カプラ１４４に接続された受光素子１５４をも備えている。
【００２３】
この光導波路モジュール１００Ａも、光入力端１０１に入力した信号光の波長分散を補償して該信号光を光出力端１０２より出力する分散補償モジュールとして作用する。第１実施形態に係る光導波路モジュール１００と比較すると、本実施形態に係る光導波路モジュール１００Ａは、光カプラ１４１〜１４４および受光素子１５１〜１５５を更に備える点で相違する。
【００２４】
光カプラ１４１は、光アイソレータ１１１と第１モード変換器１２１との間の信号光経路上に設けられ、光アイソレータ１１１から第１モード変換器１２１へ向かう信号光の一部を分岐して、その分岐した信号光の一部を受光素子１５１へ出力する。受光素子１５１は、光カプラ１４１より到達した信号光を受光して、その信号光のパワー変化を検出する。すなわち、光カプラ１４１および受光素子１５１は、光アイソレータ１１１から第１モード変換器１２１へ向かう信号光のパワー変化を常時または定期的にモニタすることができる。
【００２５】
光カプラ１４２は、第１光ファイバ１３１と光アイソレータ１１２との間の信号光経路上に設けられ、第１光ファイバ１３１から光アイソレータ１１２へ向かう信号光の一部を分岐して、その分岐した信号光の一部を受光素子１５２へ出力する。受光素子１５２は、光カプラ１４２より到達した信号光を受光して、その信号光のパワー変化を検出する。すなわち、光カプラ１４２および受光素子１５２は、第１光ファイバ１３１から光アイソレータ１１２へ向かう信号光のパワー変化を常時または定期的にモニタすることができる。
【００２６】
光カプラ１４３は、光アイソレータ１１２と第２光ファイバ１３２との間の信号光経路上に設けられている。光カプラ１４３は、光アイソレータ１１２から第２光ファイバ１３２へ向かう信号光の一部を分岐して、その分岐した信号光の一部を受光素子１５３へ出力する。受光素子１５３は、光カプラ１４３より到達した信号光を受光して、その信号光のパワー変化を検出する。また、光カプラ１４３は、第２光ファイバ１３２から光アイソレータ１１２へ向かう信号光の一部を分岐して、その分岐した信号光の一部を受光素子１５５へ出力する。受光素子１５５は、光カプラ１４３より到達した信号光を受光して、その信号光のパワー変化を検出する。すなわち、光カプラ１４３および受光素子１５３は、光アイソレータ１１２から第２光ファイバ１３２へ向かう信号光のパワー変化を常時または定期的にモニタすることができる。また、光カプラ１４３および受光素子１５５は、第２光ファイバ１３２から光アイソレータ１１２へ向かう信号光のパワー変化を常時または定期的にモニタすることができる。
【００２７】
光カプラ１４４は、第２モード変換器１２２と光アイソレータ１１３との間の信号光経路上に設けられ、第２モード変換器１２２から光アイソレータ１１３へ向かう信号光の一部を分岐して、その分岐した信号光の一部を受光素子１５４へ出力する。受光素子１５４は、光カプラ１４４より到達した信号光を受光して、その信号光のパワー変化を検出する。すなわち、光カプラ１４４および受光素子１５４は、第２モード変換器１２２から光アイソレータ１１３へ向かう信号光のパワー変化を常時または定期的にモニタすることができる。
【００２８】
本実施形態に係る光導波路モジュール１００Ａは、第１実施形態に係る光導波路モジュール１００と同様に動作して同様の効果を奏するが、これに加えて、以下のような動作および効果も可能である。すなわち、本実施形態に係る光導波路モジュール１００Ａでは、第１モード変換器１２１に順方向に入力する基底モード光のパワー変化が光カプラ１４１および受光素子１５１によりモニタされ、第１光ファイバ１３１より順方向に出力される高次モード光のパワー変化が光カプラ１４２および受光素子１５２によりモニタされるので、受光素子１５１，１５２それぞれによるモニタ結果に基づいて、第１モード変換器１２１の動作状態が監視され、例えば、第１モード変換器１２１の劣化が検知され得る。また、第２光ファイバ１３２に順方向に入力する高次モード光のパワー変化が光カプラ１４３および受光素子１５３によりモニタされ、第２モード変換器１２２より順方向に出力される基底モード光のパワー変化が光カプラ１４４および受光素子１５４によりモニタされ、また、第２光ファイバ１３２より逆方向に出力される光のパワー変化が光カプラ１４３および受光素子１５５によりモニタされるので、受光素子１５３〜１５５それぞれによるモニタ結果に基づいて、第２モード変換器１２２の動作状態が監視され、例えば、第２モード変換器１２２の劣化が検知され得る。そして、第１モード変換器１２１または第２モード変換器１２２の劣化が検知された場合には、その旨を表す信号が上位監視システムに送られるのが好適である。
【００２９】
図３は、第２実施形態に係る光導波路モジュール１００Ａに含まれる受光素子１５１〜１５５の説明図である。この図に示される受光素子１５０は、図２中における受光素子１５１〜１５５を代表するものであり、基底モード光および高次モード光それぞれのフィールドパターンが相違することを利用して、基底モード光および高次モード光それぞれのパワー変化を個別に検出することができる。
【００３０】
同図（ａ）に示されるように、基底モード光のフィールドパターンは、光軸位置が最大値となるガウス形状のものである。これに対して、高次モード光（ＬＰ１１モード）のフィールドパターンは、円環形状のものである。これに応じて、同図（ｂ）に示されるように、受光素子１５０は、２つの受光領域１５０ａ，１５０ｂを有している。受光領域１５０ａは、或る円の内部の領域であり、受光領域１５０ｂは、受光領域１５０ａの外側にある円環形状の領域である。そして、受光素子１５０は、基底モード光を受光領域１５０ａで受光し、高次モード光を受光領域１５０ｂで受光することができる。
【００３１】
図１中の受光素子１５１〜１５５それぞれとして、このような受光素子１５０が用いられることにより、各位置おいて基底モード光および高次モード光それぞれが個別にモニタされるので、第１モード変換器１２１および第２モード変換器１２２それぞれの動作状態は、より正確に監視され得る。
【００３２】
（光伝送システムの実施形態）
次に、本発明に係る光伝送システムの実施形態について説明する。図４は、本実施形態にかかる光伝送システム１の構成図である。この図に示される光伝送システム１は、光送信器１０、光中継器２０、光中継器３０、光受信器４０、および、光ファイバ伝送路５１〜５３を備えている。また、この光伝送システム１は、光カプラ６１，６２ａ，６２ｂ，６３ａ，６３ｂ，６４、および、上位監視システム７０をも備えている。上位監視システム７０は、ＳＶ装置７１〜７４を含む。
【００３３】
光送信器１０は、信号光を光ファイバ伝送路５１へ送出する。光中継器２０は、光送信器１０と光中継器２０との間に敷設された光ファイバ伝送路５１により伝送されてきて到達した信号光を入力し、その信号光を光増幅するとともに分散補償して光ファイバ伝送路５２へ送出する。光中継器３０は、光中継器２０と光中継器３０との間に敷設された光ファイバ伝送路５２により伝送されてきて到達した信号光を入力し、その信号光を光増幅するとともに分散補償して光ファイバ伝送路５３へ送出する。光受信器４０は、光中継器３０と光受信器４０との間に敷設された光ファイバ伝送路５３により伝送されてきて到達した信号光を入力し、その信号光を受信する。
【００３４】
光中継器２０は、光増幅器２１、分散補償モジュール２２および光増幅器２３を含む。また、光中継器３０は、光増幅器３１、分散補償モジュール３２および光増幅器３３を含む。光増幅器２１，２３，３１，３３それぞれは、信号光を光増幅するものであり、例えば、Ｅｒ元素が光導波領域に添加された光ファイバを光増幅媒体として有する光ファイバ増幅器であるのが好適である。分散補償モジュール２２，３２それぞれは、上述した第２実施形態に係る光導波路モジュール１００Ａと同様の構成のものであり、信号光の分散補償を行なう。また、分散補償モジュール２２，３２それぞれは、それに含まれるモード変換器の動作状態をモニタするモニタ手段（図２中の光カプラ１４１〜１４４および受光素子１５１〜１５５）によるモニタ結果を示すモニタ信号を出力する。
【００３５】
光カプラ６１は、光送信器１０の信号光出力端の近傍に設けられており、光送信器１０より出力された信号光と、ＳＶ装置７１より出力された監視光とを合波して、両者を光ファイバ伝送路５１へ出力する。光カプラ６２ａは、光中継器２０の信号光入力端の近傍に設けられており、光ファイバ伝送路５１により伝送されてきて到達した信号光と監視光とを分波して、信号光を光中継器２０へ出力するとともに、監視光をＳＶ装置７２へ出力する。光カプラ６２ｂは、光中継器２０の信号光出力端の近傍に設けられており、光中継器２０より出力された信号光と、ＳＶ装置７２より出力された監視光とを合波して、両者を光ファイバ伝送路５２へ出力する。
【００３６】
光カプラ６３ａは、光中継器３０の信号光入力端の近傍に設けられており、光ファイバ伝送路５２により伝送されてきて到達した信号光と監視光とを分波して、信号光を光中継器３０へ出力するとともに、監視光をＳＶ装置７３へ出力する。光カプラ６３ｂは、光中継器３０の信号光出力端の近傍に設けられており、光中継器３０より出力された信号光と、ＳＶ装置７３より出力された監視光とを合波して、両者を光ファイバ伝送路５３へ出力する。光カプラ６４は、光受信器４０の信号光入力端の近傍に設けられており、光ファイバ伝送路５３により伝送されてきて到達した信号光と監視光とを分波して、信号光を光受信器４０へ出力するとともに、監視光をＳＶ装置７４へ出力する。
【００３７】
ＳＶ装置７２は、ＳＶ装置７１より出力された監視光を、光カプラ６１、光ファイバ伝送路５１および光カプラ６２ａを経て入力し、この入力した監視光に基づいて、光送信器１０と光中継器２０との間の信号光伝送動作を監視する。ＳＶ装置７３は、ＳＶ装置７２より出力された監視光を、光カプラ６２ｂ、光ファイバ伝送路５２および光カプラ６３ａを経て入力し、この入力した監視光に基づいて、光中継器２０と光中継器３０との間の信号光伝送動作を監視する。ＳＶ装置７４は、ＳＶ装置７３より出力された監視光を、光カプラ６３ｂ、光ファイバ伝送路５３および光カプラ６４を経て入力し、この入力した監視光に基づいて、光中継器３０と光受信器４０との間の信号光伝送動作を監視する。このようにして、ＳＶ装置７１〜７４を含む上位監視システム７０は、光伝送システム１における信号光伝送動作を監視することができる。
【００３８】
また、ＳＶ装置７２は、光中継器２０内の分散補償モジュール２２より出力されたモニタ信号を入力して、このモニタ信号に基づいて、分散補償モジュール２２に含まれるモード変換器の動作状態を監視する。ＳＶ装置７３は、光中継器３０内の分散補償モジュール３２より出力されたモニタ信号を入力して、このモニタ信号に基づいて、分散補償モジュール３２に含まれるモード変換器の動作状態を監視する。このように、上位監視システム７０は、分散補償モジュール２２，３２に含まれるモード変換器の動作状態を監視して、モード変換器の劣化を検知することができ、その劣化が許容範囲を超える場合に警報を発することができる。したがって、この光伝送システム１は信頼性が優れたものとなる。
【００３９】
【発明の効果】
以上、詳細に説明したとおり、本発明によれば、第１光導波路の出射端と第２光導波路の入射端との間に光アイソレータが設けられていることにより、第１光導波路の出射端より出射されて順方向に進む高次モード光は、第２光導波路の入射端より第２光導波路へ入射するものの、第２光導波路から第１光導波路へ逆方向に進む光は、光アイソレータにより遮断される。したがって、例えば、モード変換器を含む分散補償モジュールとして本発明に係る光導波路モジュールが用いられる場合に、モード変換されて若しくはモード変換されることなく反射されて逆方向に進む光が発生したとしても、その逆方向に進む光は光アイソレータにより遮断されるので、高品質の信号光伝送が可能となる。
【図面の簡単な説明】
【図１】第１実施形態に係る光導波路モジュール１００の構成図である。
【図２】第２実施形態に係る光導波路モジュール１００Ａの構成図である。
【図３】第２実施形態に係る光導波路モジュール１００Ａに含まれる受光素子１５１〜１５５の説明図である。
【図４】本実施形態にかかる光伝送システム１の構成図である。
【符号の説明】
１…光伝送システム、１０…光送信器、２０…光中継器、２１…光増幅器、２２…分散補償モジュール、２３…光増幅器、３０…光中継器、３１…光増幅器、３２…分散補償モジュール、３３…光増幅器、４０…光受信器、５１〜５３…光ファイバ伝送路、６１〜６４…光カプラ、７０…上位監視システム、７１〜７４…ＳＶ装置、１００，１００Ａ…光導波路モジュール、１０１…光入力端、１０２…光出力端、１１１〜１１３…光アイソレータ、１２１…第１モード変換器、１２２…第２モード変換器、１３１…第１光ファイバ、１３２…第２光ファイバ、１４１〜１４４…光カプラ、１５１〜１５５…受光素子。
【図１】
2004159012.tif 000003
【図２】
2004159012.tif 000004
【図３】
2004159012.tif 000005
【図４】
2004159012.tif 000006